【事件の表示】
　特許第３２５７９９４号「ソケット」の請求項１ないし１３に係る特許に対する特許異議の申立てについて、次のとおり決定する。
【結　論】
　特許第３２５７９９４号の請求項１ないし１０に係る特許を維持する。
【理　由】
第１　手続の経緯
　本件特許第３２５７９９４号の請求項１ないし１３に係る発明についての出願は、平成１１年８月３０日に出願され、平成１３年１２月７日にその特許権の設定登録がされ、その後、全請求項に係る特許について、特許異議申立人遠藤寛次、特許異議申立人田島亮及び特許異議申立人池野耕司により、特許異議の申立て（異議２００２−７１９８５号）がされ、取消理由が通知され、その指定期間内である平成１６年１月１９日に訂正請求がなされ、平成１６年３月２６日付け（送達日平成１６年４月１９日）で「訂正を認める。特許第３２５７９９４号の請求項１ないし１０に係る特許を取り消す。」との決定がなされた。
　そして、特許権者は、これを不服として東京高等裁判所に当該決定の取消を求める訴え（平成１６年（行ケ）第２２４号）を平成１６年５月１８日に提起し、当該訴え継続中、平成１６年８月１６日付けで、本件明細書につき、特許請求の範囲の記載の訂正を含む訂正審判（訂正２００４−３９１９３号）を請求したところ、平成１６年９月１４日付けで、その訂正明細書のとおり訂正することを認める旨の審決がなされ、これが確定した。
　そのため、東京高等裁判所において、平成１６年１０月２６日に、決定は、結果として、請求項１ないし１０について、判断の対象となるべき発明を特定すべき特許請求の範囲の認定を誤ったことになり、この誤りが決定の結論に影響を及ぼすことは明らかであるから、「特許庁が異議２００２−７１９８５号事件について平成１６年３月２６日にした決定中「特許第３２５７９９４号の請求項１ないし１０に係る特許を取り消す。」との部分を取り消す。」旨の判決の言い渡しがあったので、さらに審理する。
　なお、前記平成１６年１月１９日の訂正請求は、判決確定後の平成１６年１１月１９日に取り下げられた。
　
第２　特許異議申立てについての判断
１．特許異議申立て理由の概要
（１）特許異議申立人遠藤寛次は、証拠として以下の甲第１ないし９号証刊行物を提出し、本件特許の請求項１に係る発明は、甲第１ないし４号証刊行物に記載された発明に基いて、請求項２ないし５に係る発明は、甲第１ないし６号証刊行物に記載された発明に基いて、請求項６ないし１０に係る発明は、甲第１ないし４号証に記載された発明に基いて、請求項１１ないし１３に係る発明は、甲第１ないし４、並びに、７ないし９号証刊行物に記載された発明に基いて、当業者が容易に発明をすることができたものであるから、特許法第２９条第２項の規定により特許を受けることができず、本件特許は取り消されるべきである旨主張している。
甲第１号証：特開平１０−１７２７０２号公報（以下、「刊行物１」という）
甲第２号証：実公昭５８−４７６６０号公報（以下、「刊行物２」という）
甲第３号証：実公平６−４４０５０号公報（以下、「刊行物３」という）
甲第４号証：実公平３−５０６３５号公報（以下、「刊行物４」という）
甲第５号証：特表平１０−５１３３０７号公報（以下、「刊行物５」という）
甲第６号証：特開平１０−３０２９２５号公報（以下、「刊行物６」という）
甲第７号証：特開平９−２４５９２０号公報（以下、「刊行物７」という）
甲第８号証：特開平８−６４３２０号公報（以下、「刊行物８」という）
甲第９号証：特開平８−２７３７７８号公報（以下、「刊行物９」という）
　
（２）特許異議申立人田島亮は、証拠として以下の甲第１ないし５号証刊行物を提出し、本件特許の請求項１ないし１３に係る発明は、甲第１ないし５号証刊行物に記載された発明と同一であるか、又は甲第１ないし５号証刊行物に記載された発明に基いて当業者が容易に発明をすることができたものであるから、特許法第２９条第１項第３号の規定又は同条第２項の規定により特許を受けることができず、本件特許は取り消されるべきである旨主張している。
甲第１号証：特開平１０−１７２７０２号公報（上記刊行物１と同じ）
甲第２号証：特開平８−１３８８１２号公報（以下、「刊行物１０」という）
甲第３号証：特開平１１−２６１２６号公報（以下、「刊行物１１」という）
甲第４号証：特開平８−６４３２０号公報（上記刊行物８と同じ）
甲第５号証：特開平９−２４５９２０号公報（上記刊行物７と同じ）
　
（３）特許異議申立人池野耕司は、証拠として以下の甲第１ないし５号証刊行物を提出し、本件特許の請求項１ないし１３に係る発明は、甲第１ないし５号証刊行物に記載された発明に基いて当業者が容易に発明をすることができたものであるから、特許法第２９条第２項の規定により特許を受けることができず、本件特許は取り消されるべきである旨主張している。
甲第１号証：特開平１０−１７２７０２号公報（上記刊行物１と同じ）
甲第２号証：特開平８−２５０２０７号公報（以下、「刊行物１２」という）
甲第３号証：登録実用新案第２５０７３１３号公報（以下、「刊行物１３」という）
甲第４号証：特開平６−６０９５１号公報（以下、「刊行物１４」という）
甲第５号証：特開平８−２７３７７８号公報（上記刊行物９と同じ）
　
２．本件発明
　上記のとおり、平成１６年１月１９日付けの訂正請求は取り下げられ、訂正２００４−３９１９３号事件において訂正明細書のとおりに訂正をすることを認める審決が既に確定しているので、本件特許第３２５７９９４号の発明はその訂正明細書の特許請求の範囲の請求項１ないし１０に記載された事項により特定される次のとおりのものである（以下、「本件発明１」ないし「本件発明１０」という）。
「【請求項１】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項２】部品本体の一面に接続端子を所定のパターンで配列してなる電子部品を着脱自在に装着可能なソケット本体と、上記ソケット本体に固定され、上記ソケットへの電子部品の装着に際し、当該電子部品を案内するとともに上記電子部品を位置決めして載置するためのアダプタ部材と、上記ソケット本体に上記電子部品の接続端子の配列パターンに対応して配設され、上記電子部品の各接続端子を挟んだ状態で加圧接触する一対の弾性的に開閉可能なアーム状接点部を有し、当該各アーム状接点部の先端近傍の部位を互いに近づける方向に「く」の字状に折り曲げることによりくびれた形状の係合突部が設けられている複数の接触子と、上記接触子の一対のアーム状接点部の係合突部とそれぞれ係合する係合部を有し、該係合部は上記一対のアーム状接点部の間に配され、該係合部の前記アーム状接点部の開閉方向とほぼ直交する方向への移動によって上記アーム状接点部をそれぞれ対称的に開閉させるように構成された接点部開閉部材と、上記一対のアーム状接点部に対して接近又は離間するように構成され、挿入される当該電子部品を所定位置に押さえるためのラッチ部材と、上記ソケット本体に対して上下動可能に設けられ、その押圧による下方への移動により上記接点部開閉部材を上方へ移動させ、かつ、その押圧解除による上方への移動により上記接点部開閉部材を下方へ移動させるカバー部材とを備え、上記一対のアーム状接点部は、上記接触子の長手方向に対してほぼ線対称な形状に形成され、上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項３】上記接点部開閉部材は、上記接触子の一対のアーム状接点部とそれぞれ係合する係合部によって隔離された一対の貫通孔を有し、該一対の貫通孔にそれぞれ一対のアーム状接点部が配され、該係合部の上記アーム状接点部の開閉方向とほぼ直交する方向への移動によって上記一対のアーム状接点部をそれぞれ対称的に開閉させるように構成されていることを特徴とする請求項１又は２のいずれか１項記載のソケット。
【請求項４】上記電子部品は、ＢＧＡパッケージであることを特徴とする請求項１乃至３のいずれか１項記載のソケット。
【請求項５】請求項１乃至４のいずれか１項記載のソケットに電子部品を取り付けてテストを行う方法であって、電子部品を用意し、上記カバー部材を上記ソケット本体に対して押し下げる向きに駆動して上記係合部を上記一対のアーム状接点部の係合突部に対して下方で離間した第１の位置から上記一対のアーム状接点部の係合突部と当接する第２の位置へ上方へ移動させることにより上記一対のアーム状接点部を対称的に開かせるとともに、上記ラッチ部材を上記一対のアーム状接点部の近傍から退避させて、上記電子部品の接続端子がそれぞれに対応する一対のアーム状接点部の間に配置されるように上記電子部品を上記アダプタ部材に位置決め載置し、上記カバー部材の押圧を解除し、上記カバー部材を上記ソケット本体から離れる向きに上方へ駆動して上記係合部を上記一対のアーム状接点部の係合突部の下方の上記第１の位置へ移動させることにより、上記各一対のアーム状接点部によって上記電子部品の各接続端子を双方向から挟んで加圧接触させるとともに、上記ラッチ部材によって上記電子部品を所定位置に押さえることを特徴とする電子部品のテスト方法。
【請求項６】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材及び上記スライド部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項７】上記カバー部材を押し下げた場合に上記各一対のアーム状接点部の加圧接触部がその中心部からほぼ均等な距離だけ移動するように構成されていることを特徴とする請求項６記載のソケット。
【請求項８】上記電子部品は、ＢＧＡパッケージであることを特徴とする請求項６又は７のいずれか１項記載のソケット。
【請求項９】少なくとも一面に複数の接続端子を備えた電子部品を装着するためのソケットであって、上下動可能なカバー部材と、上記カバー部材の押圧による下方への移動により上方へ移動し、かつ、上記カバー部材の押圧解除による上方への移動により下方へ移動可能なスライド部材と、上記カバー部材の移動に応じて上記スライド部材を上下動可能なレバー部材と、先端部に開閉可能な一対のアーム状接点部を有し、当該各アーム状接点部の先端近傍の部位を互いに近づける方向に「く」の字状に折り曲げることによりくびれた形状の係合突部が設けられている複数の接触子と、上記一対のアーム状接点部に対して接近又は離間するように構成され、挿入される当該電子部品を所定位置に押さえるためのラッチ部材と、上記カバー部材、上記スライド部材、上記レバー部材及び上記ラッチ部材を取り付け、かつ、上記複数の接触子を保持する本体と、上記本体に固定され、上記本体への電子部品の装着に際し、当該電子部品を案内するとともに上記電子部品を位置決めして載置するためのアダプタ部材とを備え、上記スライド部材に上記複数の接触子に対応する位置に複数の孔が形成されるとともに、これら各孔に一対の貫通孔を隔離するための係合部が形成され、該一対の貫通孔にそれぞれ一対のアーム状接点部が配置され、該係合部の上下動によって上記アーム状接点部の係合突部と係合して開閉するように構成され、上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する下方の第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されていることを特徴とするソケット。
【請求項１０】上記レバー部材は、上記本体に回動可能に取り付けられ、該レバー部材の力点部が上記カバー部材に当接する一方で、該レバー部材の作動部が上記スライド部材の下方においてその下面部に当接可能に構成されていることを特徴とする請求項９記載のソケット。」
　
３．刊行物に記載された発明
（１）刊行物１（特開平１０−１７２７０２号公報）には、以下の事項が図面とともに記載されている。
　「本発明は、多数のリード端子を有する電気部品を着脱可能に装着して各リードと外部装置とを電気的に接続するためのソケットに関する。」（段落【０００１】）、
　「一般に半導体製造工場では、ＩＣチップを樹脂によって封止したＩＣパッケージを、出荷前に電気的特性試験やバーンインと称される信頼性試験にかけ、良品と不良品とを判別するようにしている。」（段落【０００２】）、
　「近年、新しい表面実装型のＩＣパッケージとして、パッケージの裏面に球形のリード端子（半田ボール）をマトリクス状又は千鳥状に配列してなるＢＧＡ（Ｂａｌｌ　Ｇｒｉｄ　Ａｒｒａｙ）パッケージが普及している。・・・図１１〜図１５は、かかるＢＧＡパッケージを装着するための従来のバーンインテスト用ソケットを示すものである。・・・スライダ１０４の両側部には、スライダ１０４をベース１０２の底面と平行に移動させるためのスライド機構が設けられる。すなわち、ベース１０２の一方の縁部において、略Ｌ字状のアーム１０７がシャフト１０８を中心として回動自在に設けられるとともに、このアーム１０８はスライダ１０４の一方の縁部に係合するシャフト１０９に回動自在に連結される。また、スライダ１０４の他方の縁部に、長尺のレバー１１０がシャフト１１１を中心として回動自在に取り付けられ、このレバー１１０の中腹部に、アーム１０７の先端部がピン１１２によって揺動自在に取り付けられる。そして、カバー１０３を押圧しない状態においてアーム１０７の先端部がカバー１０３の天井面に当接するように構成される。・・・このような構成を有するソケット１０１において、図１５（ａ）に示す状態から図１５（ｂ）に示すようにカバー１０３を押し下げると、レバー１１０がベース１０２に向って回動し、アーム１０７の動きに伴ってスライダ１０４が矢印Ｈ方向に移動する。その結果、コンタクト１０６のアーム１０６ａ、１０６ｂがスライダ１０４の格子部１０４ｃに押されて開くようになる。」（段落【０００４】〜【０００９】）、
　「【発明の実施の形態】以下、本発明に係るソケットの好ましい実施の形態を図１〜図１０を参照して詳細に説明する。・・・図１は、本発明に係るソケットの要部構成を示す平面図であり、図２は、本発明が適用される電気部品としてのＢＧＡパッケージを示す裏面図である。また、図３（ａ）は、図１のＡ−Ａ線階段断面図であり、図３（ｂ）は、図１のソケットを矢印Ｘ方向から見た部分断面図である。・・・本実施の形態のソケット１は、概略、ソケット本体としてのベース２と、カバー３と、昇降部材４とから構成され、・・・また、カバー３は、後述する機構によりベース２に対して上下動自在に取り付けられ、そのほぼ中央部には、ＢＧＡパッケージ５を着脱するための開口部が形成されている。・・・図２に示すように、本発明が適用されるＢＧＡパッケージ５は、樹脂封入によって図示しないＩＣチップを内蔵する四角形状のパッケージ部５ａを有し、その裏面に、多数（本実施の形態の場合は９個）のリード端子としての球形状の半田ボール５ｂがマトリクス状に設けられている。・・・一方、ベース２のほぼ中央部には、接触子としてのコンタクト６が複数設けられる。これらのコンタクト６は、ＢＧＡパッケージ５に設けられた半田ボール５ｂの配列パターンに対応するようにマトリクス状に配列される。・・・図３（ａ）（ｂ）に示すように、コンタクト６は、例えば板ばね用薄板を打ち抜いて作成され、中心部から一本のピン６ｃとして軸方向に延び、中心部から上は２本のアーム状接点部としてのアーム６ａ、６ｂに分岐して軸方向に延びるように形成される。そして、各コンタクト６は、ベース２の底面２ａに対して垂直に保持される。・・・これら一対のアーム６ａ、６ｂは、向かい合う方向、即ち矢印Ｐ方向又は矢印Ｑ方向において弾性的に開閉可能であり、ＢＧＡパッケージ５の半田ボール５ｂを両側から挟んだ状態で加圧接触するための接点部を構成する。・・・この場合、一方のアーム６ｂはピン６ｃ側から接点部に向って直線状に延び、その先端部に向って順次矢印Ｐ方向、矢印Ｑ方向に折曲することにより接点部が形成される。また、他方のアーム６ａは、アーム６ａ、６ｂの分岐点においてアーム６ｂに対して矢印Ｐ方向に折曲され、その先端部に向って順次矢印Ｑ方向、矢印Ｐ方向に折曲することにより接点部が形成される。」（段落【００３４】〜【００４２】）、
　「昇降部材４は、これらのガイド部２０〜２５に沿って、上下方向、即ちベース２の底面２ａに対して垂直方向に移動可能に構成される。昇降部材４は、一体的な部材からなり、図１に示すように、ガイド部２０〜２５によって案内される略四角形状のスライド部分４Ａと、このスライド部分４Ａの内側に形成されコンタクト６のアーム６ａ、６ｂを開閉させる接点開閉手段としてのアーム開閉部分４Ｂとから構成される。」（段落【００４５】）、
　「一方、昇降部材４のアーム開閉部分４Ｂは、格子状に形成され、ＢＧＡパッケージ５の各半田ボール５ｂに対応するように、各コンタクト６を挿入するための貫通孔４ａが形成されている。この場合、図３（ａ）に示すように、アーム６ａ、６ｂの開閉方向における各貫通孔４ａの径は、アーム６ａ、６ｂ間の最大スパンよりも小さくなるように設定され、また、アーム開閉部としての各格子部４ｂの矢印Ｑ方向側の部分に曲面が形成されるように構成される。」（段落【００４９】）、
　「次に、本実施の形態のソケット１の動作を図４〜図６を参照して説明する。・・・まず、図４（ａ）に示すように、カバー３を押圧しない状態においては、圧縮コイルばね３８の力によってカバー３が最も上方に位置する。この状態では、各コンタクト６のアーム６ａ、６ｂは閉じている。・・・この状態からカバー３を下方に押し下げていくと、スライダ３ｂのラック部３ｃと噛み合う歯車３４、３５が、それぞれ反時計回り方向又は時計回り方向に回転し、その小歯車部３４ｂ、３５ｂと各ラック部２６ａ、２７ａ、２８ａ、２９ａとが噛み合うことによって昇降部材４が上昇する。そして、そのままカバー３を押し下げていくと、昇降部材４のアーム開閉部４Ｂの各格子部４ｂがコンタクト６の各アーム６ａと当接し、これを矢印Ｑ方向に押圧するため、コンタクト６の両アーム６ａ、６ｂが開いていく。・・・図４（ｂ）は、カバー３を下限まで押し下げた状態を示すものである。この状態においては、昇降部材４はカバー３の上面まで上昇する。一方、各アーム６ａ、６ｂは、ＢＧＡパッケージ５の半田ボール５ｂが容易に入り込むように大きく開く。・・・そして、この状態において、半田ボール５ｂが設けられている面を下にしてＢＧＡパッケージ５を昇降部材４の上方から落とし込む。・・・次に、カバー３に対する押圧力を解除すると、圧縮コイルばね３８の付勢力によってカバー３が上昇し、スライダ３ｂのラック部３ｃと噛み合う歯車３４、３５が反時計回り方向に回転して、その小歯車３４ｂ、３５ｂと噛み合う昇降部材４が下降する。・・・ＢＧＡパッケージ５は、この載置面・・・からベース２のガイド部２０、２１の装着面２０ａ、２１ａ上に載り換えられる。・・・この場合・・・ベース２のガイド部２０、２１に位置決め面２０ｂ、２１ｂを傾斜させて形成しておくことにより、ＢＧＡパッケージ５が、この位置決め面面２０ｂ、２１ｂに沿って正確に位置決めされるため、各半田ボール５ｂは各コンタクト６のアーム６ａ、６ｂの間に確実に挿入される。その後、昇降部材４はなおも下降するが、ＢＧＡパッケージ５はベース２のガイド部２０、２１の装着面２０ａ、２１ａ上にそのままとどまる。・・・図５（ｄ）に示すように、昇降部材４がさらに下降すると、各コンタクト６のアーム６ｂと昇降部材４のアーム開閉部４Ｂの格子部４ｂとが離れるため、コンタクト６のアーム６ｂが矢印Ｐ方向に移動してアーム６ａ、６ｂ同士はその自身の弾性力によって閉じられ、図６（ｃ）に示すように、半田ボール５ｂを挟んでこれを加圧する。これにより、ＢＧＡパッケージ５の半田ボール５ｂとコンタクト６のアーム６ａ、６ｂとの良好な電気的な接続が行われる。」（段落【００５２】〜【００６０】）、
　「図９は、本発明に係るソケットのさらに他の実施の形態を示すものであり、以下、上述の実施の形態と対応する部分について同一の符号を付して説明する。本実施の形態は、カバー３と昇降部材４とを一体化し、昇降部材４を移動させるための手段を省略するようにしたものである。・・・図９に示すように、本実施の形態においては、ベース２に対して上下動可能なカバー３の開口部３ａの側壁に、ＢＧＡパッケージ５を誘い込むための傾斜面３ｅと、ＢＧＡパッケージ５を位置決めするための位置決め面３ｆが形成されている。・・・一方、ベース２には、上記第１の実施の形態と同様のコンタクト６が配設される。そして、図示はしないが、昇降部材４がカバー３と一体的に形成され、この昇降部材４はベース２に昇降自在に嵌合されている。昇降部材４には格子部４ｂが設けられ、これにより形成される挿入孔４ａにコンタクト６が挿入される。また、昇降部材４にはＢＧＡパッケージ５を載置するための載置面４ｃが形成されている。そして、ベース２には図示しない装着面が形成されている。・・・本実施の形態においては、図９（ａ）に示すように、カバー３が上限に位置する場合に昇降部材４も上限に位置し、その格子部４ｂが各コンタクト６の一方のアーム６ａの折曲部分より上方にあるように構成される。この状態では、各コンタクト６のアーム６ａ、６ｂは閉じられている。・・・この状態でカバー３を下降させると、昇降部材４の格子部４ｂがコンタクト６の一方のアーム６ｂに当接し、アーム６ａ、６ｂが開く。そして、ＢＧＡパッケージ５をカバー３の開口部２ａを介して落とし込むと、ＢＧＡパッケージ５は、昇降部材４の載置面４ｃに載置され、所定の位置に位置決めされる。・・・さらに、カバー３を下降させると、これに伴って昇降部材４も下降するため、上記実施の形態と同様の動作により、ＢＧＡパッケージ５が昇降部材４の載置面４ｃからベース２の図示しない装着面に載置され、図９（ｂ）に示すように、ＢＧＡパッケージ５の各半田ボール５ｂが各アーム６ａ、６ｂの間に挿入される。・・・そして、図９（ｃ）に示すように、カバー３をベース２と当接するまで下降させると、昇降部材４の格子部４ｂとコンタクト６のアーム６ｂとの当接が外れ、アーム６ａ、６ｂが閉じられる。これによりＢＧＡパッケージ５の半田ボール５ｂがアーム６ａ、６ｂによって加圧挟持され、ＢＧＡパッケージ５の半田ボール５ｂとコンタクト６との接続が行われる。」（段落【００７４】〜【００８０】）、
　「図１０は、本実施の形態におけるコンタクトの他の例を示すものである。図１０（ａ）〜（ｃ）に示すように、このコンタクト６０は、その中央部がくびれた一対のアーム６０ａ、６０ｂを有している。そして、これらのアーム６０ａ、６０ｂの間に昇降部材４の格子部４ｂを挿入し、これを上下動させ、この格子部４とアーム６０ａ、６０ｂのくびれた部分とを当接、解除させることにより、アーム６０ａ、６０ｂを開閉することができる。」（段落【００８２】）
　
（２）刊行物２（実公昭５８−４７６６０号公報）には、以下の事項が図面とともに記載されている。
　「第３図はノーマルクローズ型コネクタにおけるコンタクト及びカムの組合せの一例を示し、コンタクト２０は金属板の曲が加工により作られコの字形に成形された連結片２１と１対のバネ片２２、２２’等からなっている。バネ片２２、２２’はその一端付近において互いに弾性接触して接触部２３を形成し、また他端は連結片２１に一体につながっている。カム２４はほぼ杆状であって先端はくさび状をなし、コンタクト２０の下側よりバネ片２２、２２’の間の途中付近まで挿入された形となっている。いま、カム２４が第３図ａ又はｂの位置から上昇してバネ片２２、２２’の先端付近に達するとカムの先端形状によりバネ片２２、２２’は同図ｃのごとく接触部２３が拡開されるからこの状態では相手側端子（図示せず）の挿入又は抜去が抵抗なく行いうる。そして相手側端子が挿入された状態でカム２４が再び第３図ａ又はｂの位置まで下降すると、バネ片２２、２２’は復旧し該バネ片間に挿入されている相手側に弾性接触して電気的接続が得られることになる。この方式では、カム２４はバネ片２２、２２’を常に一定の寸法に拡開する働きのみをなし、相手側端子との接触はバネ片自体の弾性によっているからカム２４の駆動に要する力は一定でよく、従ってカムを駆動するスライダ等が甚しく摩耗するようなことはなく、また相手側端子の寸法に変動があっても各バネ片は十分接触するから、コンタクトとカムの寸法精度もノーマルオープン型ほどの高さは必要とせず製作しやすい等の利点がある。」（３欄３７行〜４欄２２行）
　
（３）刊行物３（実公平６−４４０５０号公報）には、以下の事項が図面とともに記載されている。
　「【請求項１】ＩＣパッケージの各接続ピンを弾圧挟持して接続するための挟持片を有する多数のコンタクトピンが、ソケット本体上に配設されているＩＣソケットの構成において、上記コンタクトピンには、上記挟持片を弾圧力に抗して開かせるための押圧片を一体に設け、且つ上記ソケット本体には、係止部を設けると共に、上記ソケット本体の係止部と係合する係合部と上記接続ピンを挿通するための貫通孔とを有するカバーと、上記カバーによって上方向の位置規制がなされ、且つ上記ソケット本体に取り付けられたばねによって上方向に弾圧された状態で上下動可能に装着され、更に、上記コンタクトピンに対応してあけられたカム孔，及び該カム孔内に突出形成されて上記押圧片と係合し得るカム部を有するスライドプレートとを備えて構成され、上記スライドプレートが下方向に移動したときに、上記カム部が上記押圧片に作用して上記挟持片を開かせ、上記接続ピンを上記挟持片の弾圧挟持接続可能な位置へ挿入し得るようにしたことを特徴とするＩＣソケット。」（実用新案登録請求の範囲）
　
（４）刊行物４（実公平３−５０６３５号公報）には、以下の事項が図面とともに記載されている。
　「一面に臨んでピン挿入穴が形成されるとともに、反対側の面に臨んで上記ピン挿入穴と通じた接触室が形成され、上記ピン挿入穴から上記接触室内に挿入される端子ピンの挿入方向に移動可能なカバー絶縁体と、このカバー絶縁体の上記接触室内に固定して設けられ、上記端子ピンの径ないし厚みと等しい板厚を有し、板面が上記接触室内への上記端子ピンの挿入方向に沿うとともに、上記端子ピンが上記接触室内に挿入されたときの上記端子ピンの先端の位置に端子ピン挿入側の端面が位置したプリロード板と、上記カバー絶縁体の上記反対側の面側に配されたベース絶縁体と、このベース絶縁体に固定され、上記カバー絶縁体が上記ベース絶縁体に対して第１の位置に隔離しているときには、上記反対側の面側から上記接触室内に挿入された対向する一対のバネ片が上記プリロード板を挟持し、上記端子ピンが上記接触室内に挿入されたのち、上記カバー絶縁体が上記端子ピンと共に上記ベース絶縁体に対して第２の位置まで近づけられることにより、上記一対のバネ片が上記端子ピンを挟持するソケット接触子と、を有することを特徴とするコネクタ。」（実用新案登録請求の範囲）
　
（５）刊行物５（特表平１０−５１３３０７号公報）には、以下の事項が図面とともに記載されている。
　「図４は、接点２０がＢＧＡ装置のはんだボール４０とどのように係合するかを図示する。はんだボール４０の平坦な表面は、ボール４０がＢＧＡ装置（図示しない）に取り付けられる平面を示す。図３からもわかるように、接点２０のチップ２６および２８は、チップ２６および２８の係合表面がはんだボールに正接するようにお互いが向かい合うようにねじられている。この配置によって、接点チップ２６および２８の最大面積を超えてボール４０と接触することが可能であり、ボールのどのような脱落をも防止することができる。チップ２６および２８とはんだボール４０とが正接する係合をもたらすのに必要なねじれの量は、ボール４０の直径に依存する。チップ２８および２８の係合部分は、内側に曲げられ、そこで、それらがはんだボール４０と係合することにも注意されたい。このことが、はんだボール４０に下向きの力を発生させ、その力は、ソケット１０内にＩＣ装置を保持するのを助ける。」（７頁４〜１５行）、
　「ソケット１０にＢＧＡ装置を挿入するために、カバー１４が押し下げられ、そのことがアーム４８および５０の端部を下方に押し下げる。アーム４８および５０のこの動きが、交差部材４６の上側部分をお互いに接近させるので、ガイド３６およびそれらに関連するラック３２をお互いの方に接近させて接点２０を開く。・・・カバー１０への下方への押圧を解除することによって、接点２０は、接点２０の固有の弾性ではんだボール４０のまわりで閉じることができる。」（８頁１５〜２５行）
　
（６）刊行物６（特開平１０−３０２９２５号公報）には、以下の事項が図面とともに記載されている。
　「上記移動板６にはコンタクト収容孔９内に収容された弾性接片３ａと３ｂの上端部間に介在する上部介在壁１１を移動板６と一体に設け、更にソケット本体１には弾性接片３ａ，３ｂの植設部から立上る基部を収容するコンタクト収容孔１２を設け、該収容孔１２内に収容された弾性接片３ａ，３ｂの基部間に介在する下部介在壁１３をソケット本体１と一体に設ける。・・・図７、図８に示すように上記弾性接片３ａ，３ｂは常態において、下部介在壁１３又は上部介在壁１１に当接し弾力を蓄えた状態に置かれる。即ちプリロードを蓄えた状態に置かれる。・・・上記上部介在壁１１と下部介在壁１３は弾性接片３ａ，３ｂ間に介在することにより、上記コンタクト収容孔９，１２を二分し、二分された各孔９ａ，１２ａ内に各弾性接片３ａ，３ｂを遊挿して各弾性接片挿通孔９ａ，１２ａ内において弾性変位可能とする。」（段落【００２８】〜【００３０】）、
　「この結果、図９、図１０に示すように移動板６はソケット本体１の対角線Ｆ上の一方のコーナぶへ向け斜動し、この斜動により上部介在壁１１がコンタクト２の弾性接片３ａを押圧して上記斜動方向へ弾性変位せしめ、この弾性変位により拡開した弾性接片３ａ、３ｂの加圧接触片１４ａ、１４ｂ間にＩＣ４のボール形外部接点５を無負荷で介入しつつ、収容部１５内に収容位置決めする。」（段落【００４７】）
　
（７）刊行物７（特開平９−２４５９２０号公報）には、以下の事項が図面とともに記載されている。
　「【請求項１】・・・ＩＣソケットにおいて、上記ＩＣ本体の一端部上面と他端部上面とを下方に向け押圧する少なくとも一対の回動ラッチレバーを備えると共に、該各回動ラッチレバーを押圧方向に付勢するバネ手段を備え、該回動ラッチレバーをバネ手段に抗して押圧解除方向へ回動せしめる移動板の上位に上下動可に設けたアクチュエーターを備えることを特徴とするＩＣソケットにおけるＩＣ押え機構。」（特許請求の範囲）、
　「上記ソケットにＩＣ本体１の一端部上面と他端部上面とを下方へ向け押圧する少なくとも一対の回動レバーから成るラッチレバー１３を具備させる。・・・上記各回動ラッチレバー１３は図１又は図３等に示すように、移動板５の一端部と他端部に夫々軸１４により移動板５の上面に接近する方向（前方）と離間する方向（後方）とに回動できるように枢支する。一方の回動ラッチレバー１３は前方へ回動した時に移動板５上に搭載されたＩＣ本体１の上面一端を下方へ押圧し、他方の回動ラッチレバー１３は前方へ回動した時にＩＣ本体１の上面他端を下方へ押圧する。」（段落【００２６】〜【００２７】）、
　「従って、アクチュエータ８は移動板５を横動させるための操作レバー７と、ＩＣを押えるための回動ラッチレバー１３の双方に作用する。」（段落【００３２】）、
　「図３乃至図６はアクチュエーター８を下降操作した時の回動ラッチレバー１３と移動板５の動作状態を示している。図示のように、アクチュエーター８を下降すると、加圧部２３が回動ラッチレバー１３の後端の受圧部２４を押圧し、回動ラッチレバー１３をバネ手段１５に抗し後方へ回動しＩＣの押圧解除状態を形成する。」（段落【００３４】）、
　「図６乃至図９に示すように、上記ＩＣ搭載状態においてアクチュエーター８への押下力を解除すると、・・・アクチュエーターを上方へ復帰せしめる。・・・又アクチュエーター８の上昇によって、図８，図９に示すように回動ラッチレバー１３はバネ手段１５の弾力に従い前方へ回動しＩＣ本体１の上面一端と他端を下方向へ押圧する。この押圧によってＩＣの浮上りを阻止し、ＩＣ端子２とコンタクト４との接触状態を確保する。」（段落【００３７】〜【００３８】）
　「図１においては、回動ラッチレバー１３を移動板５の対向する端縁に取付けた場合を示したが、このレバー１３をソケット本体３に取付けることができる。」（段落【００３９】）
　
（８）刊行物８（特開平８−６４３２０号公報）には、以下の事項が図面とともに記載されている。
　「【請求項４】　請求項２または３のいずれかに記載のソケットにおいて前記ソケット本体上の前記部品本体に係止して前記電気部品を前記接触子側に押圧する第１の位置と前記ソケット本体上の前記電気部品から退避する第２の位置との間で移動可能なラッチ部材と、前記カバー体の一方向の移動に連動して前記ラッチ部材を前記第１の位置へ移動させ、前記カバー体の他方向の移動に連動して前記ラッチ部材を第２の位置へ移動させるラッチ操作手段とを具備したことを特徴とするソケット。」（特許請求の範囲）、
　「再び図１〜図３、図１４および図１８において、本ソケットのＸ方向における中心部でＹ方向ではスライダ板４０の両側面に近接した位置にてベース１０に一対の板バネ形のラッチ７０が立設されている。各ラッチ７０の下端部はベース１０に固定され、中間部ないし上端部がその板面と垂直な面内で弾性変位できるようになっており、上端部にはＶ字形に内側に突出したパッケージ押さえ部７０ａが形成され、中間部にはＬ字形に外側に突出した下側案内部７０ｂが形成されている。・・・図１８に示すように、ラッチ７０の上端（上側案内部）がラッチ案内部７２の垂直案内面７２ａに接している状態では、ラッチ７０が前方（ソケット中心側）へお辞儀するように弾性変位し、パッケージ押さえ部７０ａがスライダ板４０の外周縁部の頭上に覆い被さる。カバー１４が押し下げられると、ラッチ７０の下側案内部７０ｂがラッチ案内部７２の傾斜案内面７２ｂに案内されるようになり、ラッチ７０はその弾性復元力で本来の姿勢に戻り、パッケージ押さえ部７０ａはスライダ板４０の外周縁部の頭上から退避するようになっている。」（段落【００６７】〜【００６８】）、
　「上記したように、カバー１２が押し下げられると・・・スライダ板４０がＸ方向のＸ−の向きにスライドする。スライダ４０の隔壁４０ａの溝４０ｂに係止している各コンタクト３０の一方のアーム３０ａはこのスライダ板４０のスライドに伴ってＸ−の向きに移動するが、他方のアーム３０ｂは動かずにいるため、両アーム３０ａ、３０ｂが開く。」（段落【００７２】）
　
（９）刊行物９（特開平８−２７３７７８号公報）には、以下の事項が図面とともに記載されている。
　「【請求項１】 ＩＣ部品を挿入させるための開口を有し本体に対して上下動可能に取り付けられ上方への作動習性を付与された方形のカバー部材と、前記ＩＣ部品を載置する載置手段と、応動部を有すると共に複数のコンタクトピンを作動させるために前記本体に対して上下動可能に取り付けられ下方への作動習性を付与されたスライド部材と、前記方形の対辺位置において夫々少なくとも一つ配設されており前記カバー部材にその一端で回転可能に取り付けられ且つ他端には前記応動部に係合する押動部を形成したスライドバーとを備え、前記カバー部材の上下動に対して前記スライドバーの他端を前記本体に設けられたガイドにより左右方向へ移動させ、前記押動部によって前記スライド部材を上下動させるようにしたことを特徴とするＩＣソケット。」（特許請求の範囲）、
　「カバー７は上方への作動習性が付与され、コンタクトピンを動かすスライドプレート３は下方への作動習性が付与されている。２本のスライドバー９は、その一端がカバー７にピン１０によって回転可能に取り付けられ、他端には押動部９ａが形成され且つシャフト１１が取り付けられている。押動部９ａはスライドプレート３の軸部３ｃに係接し、シャフト１１はガイド１２の凹部１２ａに摺接している。カバー７が押し下げられたときシャフト１１は左右に開き、押動部９ａはスライドプレート３を押し上げる。シャフト１１が軸部３ｃの下方位置に近づくのでカバー７に対する反作用が軽減される。」（【要約】参照）、
「先ず、図１８の状態から・・・カバー７を押し下げていく。それによってＸ形に配置された２本のスライドバー９は、シャフト１１をスライドサポート１２の凹部１２ｂ内で移動させ、左右に開いていく。・・・このシャフト１１の移動により押動部９ａが軸部３ｃを押し、コイルバネ６（図４）の力に抗してスライドプレート３を上方へ押し上げていく。」（段落【００３１】〜【００３２】）
　
（１０）刊行物１０（特開平８−１３８８１２号公報）には、以下の事項が図面とともに記載されている。
　「本発明は、プリント配線板上に接続配置され、ＩＣパッケージを交換可能に装填し、該ＩＣパッケージをプリント配線板に電気的に接続するようにしたＩＣソケットに関するものであり、特にボール・グリッド・アレー型のＩＣパッケージ用として好適なＩＣソケットに関する。」（段落【０００１】）、
　「本発明の第２実施例を、図８乃至図１４を用いて説明する。・・・図９において、可動板１５は、ケース本体１２との間に設けられた四つのバネ１１によって上方へ押されているが、二つの爪部１５ａがケース本体１２の爪部１２ａに係止され、図の位置を保持されている。ケース本体１２には複数のコンタクトピン１７が植設されているが、それらの大部分は省略され、その一部だけを明示してある。・・・コンタクトピン１７の上端部は、可動板１５に、接続端子１ｃとコンタクトピン１７の数だけ設けられている貫通孔１５ｅに夫々緩く嵌合している。この状態は、図１２及び図１３の拡大図に分かり易く示されている。コンタクトピン１７は、その上端部が二股状になっており、その間に、貫通孔１５ｅ間に設けられているリブ１５ｆが挿入される構成となっており、可動板１５がバネ１１に抗して下降したとき、二股部が開くようになされている。」（段落【００２２】〜【００２４】）、
　「押圧部材１８が、ケース本体１２に対して上下動可能に取り付けられている。・・・押圧部材１８には、ケース本体１２に設けられた四つの傾斜面１２ｂとともにＩＣパッケージ１を所定の載置部１２ｃに載置し易いようにするために、四方に傾斜面１８ｃが形成されている。」（段落【００２５】）
　「先ず、ＩＣパッケージ１をＩＣソケットから取り出す操作から説明する。押圧部材１８を上方からバネ１９に抗して押し下げると、可動板１５は先ず押圧部材１８のカム部１８ｄ，１８ｅによって図１０及び図１３において右方向へ動かされる。・・・押圧部材１８を更に押すと、今度は四つの押圧面１８ｆによって図９及び図１０において下方へ動かされる。そのため、コンタクトピン１７は、可動板１５のリブ１５ｆにより二股状の先端部を開かされ、接続端子１ｃに対する押圧力を解く・・・この状態においてはＩＣパッケージ１を開口部１８ａから自由に取り出すことができる。」（段落【００２７】）、
　「ＩＣパッケージ１をＩＣソケットに装着する操作は、上記の場合と同様にして、先ず押圧部材１８を上方からバネ１９に抗して押し下げる。この状態で、ＩＣパッケージ１を開口部１８ａから挿入し、傾斜面１２ｂ，１８ｃで画成された可動板１５の載置部に載置する。この状態においては、接続端子１ｃとコンタクトピン１７とは未だ接触していない。・・・次に、押圧部材１８への押圧を解除すると押圧部材１８がバネ１９によって上昇するが、その過程で先ず可動板１５がバネ１１によって追従し、上方へ移動する。そのため、リブ１５ｆが上方へ移動し、コンタクトピン１７は自己のバネ習性で復帰作動を行い、その先端部によって接続端子１ｃの両側面から挟持する。・・・その後、押圧部材８への押圧力を更に解除すると、今度はカム部１８ｄ，１８ｅによって、可動板１５は図１０及び図１３において左方向へ動かされる。そのため、コンタクトピン１７は可動板１５の貫通孔１５ｅに押され、自己のバネ習性に抗して同じく左方向へ押される。この時、コンタクトピン１７は接続端子１ｃの側面を擦るので、ワイピングが行われ、接続端子１ｃやコンタクトピン１７の表面に酸化皮膜や汚れがあったとしても、それらを綺麗に拭い去り、両者間において良好なる電気的接続を可能にする。」（段落【００２８】〜【００３０】）、
　「本発明の第３実施例を図１５及び図１６を用いて説明する。・・・先ず、本実施例の構成を説明すると、ケース本体２２には、可動板２５が水平方向に移動できるように取り付けられている。この可動板２５は、図１５においてはバネ２１Ａによって左方向へ押されており、図１６においてはバネ２１Ｂによって左方向へ押されている。また、可動板２５には複数の貫通孔２５ｅが設けられており、ケース本体２２に植設された複数のコンタクトピン２７の各先端が緩く嵌合されている。」（段落【００３２】〜【００３３】）、
　「押圧部材２８が、ケース本体２２に対して上下動可能に取り付けられている。・・・また、押圧部材２８には、二つの切欠部２８ｄが設けられており、ケース本体２２の軸２２ｄに枢着されている二つのレバー３０の先端に夫々当接するようになされている。このレバー３０には、二つのレバー間に軸３０ａが取り付けられており、この軸３０ａが可動板２５の端面に接触し、バネ２１Ａによって左方向へ押されて、図に示す位置が保たれている。」（段落【００３４】〜【００３５】）、
　「次に、本実施例におけるＩＣパッケージ１の装着操作について説明する。押圧部材２８を上方からバネ２９に抗して押し下げると、先ず、・・・押圧部材２８を更に押し下げると、今度は図１５において、レバー３０はその先端が押圧部材２８に押され、軸２２ｄにおいて時計方向へ回転する。そのため、可動板２５は軸３０ａによってバネ２１Ａに抗して右方向へ移動する。そのため、コンタクトピン２７は自己のバネ習性によって同じく右方向へ追従する。その結果、可動板２５が移動し終わった位置では、コンタクトピン２７の先端は、上方からＩＣパッケージ１を挿入してもその接続端子１ｃに接触しない状態になっている。・・・この状態で、ＩＣパッケージ１を開口部２８ａから挿入し、可動板２５の載置部に載置する。」（段落【００３６】〜【００３８】）
　
（１１）刊行物１１（特開平１１−２６１２６号公報）には、以下の事項が図面とともに記載されている。
　「本発明は、多数のリード端子を有する電気部品を着脱自在に装着して各リードと外部装置とを電気的に接続するためのソケットに関し、特にＢＧＡ（ＢａｌｌＧｒｉｄＡｒｒａｙ）パッケージ用のソケットとして有用なソケットに関する。」（段落【０００１】）、
　「スライダ１０３の両側部には、スライダ１０３をベース１０２の底面と平行に移動させるためのスライド機構が設けられる。すなわち、ベース１０２の一方の縁部（図中右側の縁部）に設けられたシャフト１０７の両端部に略Ｌ字状のレバー部材１０８が回動自在に取り付けられ、このレバー部材１０８の短腕部１０８ａは、シャフト１０７の上部に平行に設けられスライダ１０３の縁部と当接するシャフト１０９に回動自在に連結される。・・・また、ベース１０２の他方の縁部側に設けられたシャフト１１０の両端部にレバー部材１１１が回動自在に取り付けられ、このレバー部材１１１の中腹部に、上記レバー部材１０８の先端部がピン１１２によって揺動自在に取り付けられる。そして、カバー１０４を押圧しない状態においてレバー部材１１１の先端部１１１ａがカバー１０４の天井面の突部１０４ａに当接するように構成される。さらに、シャフト１０７の近傍には、スライダ１０３を付勢するための圧縮コイルばね１１３が設けられる。」（段落【０００８】〜【０００９】）、
　「本実施の形態のソケット１は、概略、ソケット本体としてのベース２と、カバー３と、ベース２上に設けたスライド部材としてのスライダ４と、スライダ４上に設けた位置決め部材としてのアダプタ５から構成され・・・を用いて成形される」（段落【００３２】）、
　「図４（ａ）〜（ｃ）は、本実施の形態におけるアダプタ５の構成を示すもので、図４（ａ）は平面図、図４（ｂ）は正面図、図４（ｃ）は、図４（ａ）のＡ−Ａ線階段断面図である」（段落【００３６】）、
　「図４（ａ）に示すように、本実施の形態のアダプタ５は、四角形状の枠部５ａと、この枠部５ａの四隅に一体的に形成される装着部５ｂとからなり、スライダ４に対して着脱自在となるように構成されている。ここで、図１（ａ）に示すように、アダプタ５の枠部５ａの外縁部は、カバー３の開口部３ａの径より若干小さい径を有し、装着部５ｂの内側には、ＢＧＡパッケージ９の装着位置を定めるための傾斜部５ｃが形成されている。・・・このような構成によれば、容易にアダプタ５を交換することができ、これにより大きさの異なる種々のＢＧＡパッケージ９を装着することができるようになる」（段落【００３７】〜【００３９】参照）、
　「図１（ａ）（ｃ）に示すように、本実施の形態においては、ＢＧＡパッケージ９を保持するための一対のラッチ１３が設けられている。このラッチ１３はカバー３の上下動に伴って回動するように構成され、ＢＧＡパッケージ９の装着の際にスライダ４の表面から待避するようになっている。」（段落【００４７】）、
　「この状態からカバー３をＹ−方向に押し下げると、図９及び図１０（ｂ）に示すように、レバー部材１５が反時計回り方向に回転し、その後端部１５ｂがスライダ４の後部から突出する。その結果、レバー部材１５がベース２の受部２ｂからの反力を受けることによってスライダ４が圧縮コイルばね１２の弾性力に抗してＸ−方向にスライドし、さらにスライダ４の係合溝４ｂとアーム６ａの突起６ｅとの係合によってアーム６ａがＸ−方向へ移動してアーム６ａ、６ｂ同士が離間する。」（段落【００５２】）
　
（１２）刊行物１２（特開平８−２５０２０７号公報）には、以下の事項が図面とともに記載されている。
　「この発明は、ＩＣパッケージや水晶発振器などを検査するための検査用ソケットに関する。」（段落【０００１】）、
　「ソケット本体１２の内部には、図示せぬＩＣパッケージのＩＣリードと接触して電気的に接続する複数のコンタクト１８が配設されている。コンタクト１８の接触部１８ａは、カバー１１の上面に形成された端子孔１９を貫通し、カバー１１の上面に突出している。なお、コンタクト１８の接触部１８ａは、図１の状態で図示せぬＩＣパッケージのＩＣリードと接触する。・・・一方、カバー１１の下部には、カバー１１の下方向への移動時にコンタクト１８を拡開し、また上方向への移動時にコンタクト１８を拡開前の位置まで
復帰させる押圧部２０が形成されている。・・・押圧部２０は、カバー１１が下方向に押圧されたときにはコンタクト１８を強制的に拡開する第１の押圧片２０ａと、前記カバ?１１への下方向への押圧が解除されたときにはコンタクト１８を強制的に拡開前の位置まで復帰させる第２の押圧片２０ｂにより構成されている。これら押圧片のうち、第１の押圧片２０ａはカバー１１が下方向に押圧されたときに、コンタクト１８の内側面を外側に押し拡げて拡開する役割を果たし、第２の押圧片２０ｂはカバー１１の下方向への押圧が解除されたときに、拡開しているコンタクト１８の外側面を内側に押し戻して拡開前の位置まで復帰させる役割を果たしている。」（段落【００１９】〜【００２１】）
　
（１３）刊行物１３（登録実用新案第２５０７３１３号公報）には、以下の事項が図面とともに記載されている。
　「かかる本実施例の回路基板用の電気コネクタの回路基板への装着は次の要領で行われる。・・・ 先ず、コネクタの装着に先立ち、回路基板Ｐの回路部Ｐ１の範囲Ｓ（第１図参照）にクリーム半田Ｗを塗布する（第２図（Ａ）参照）。・・・ 次に、駒部材４を絶縁ハウジング２内に取付け、案内可能に保持する。この状態で駒部材４の係止部たる案内溝４Ｅに各接触子３の水平部３Ｂがスライド可能に係止され、接触子３は回路基板Ｐの回路面より離間する方向に弾性変形する（第２図（Ａ）参照）。・・・しかる後、かかる回路基板Ｐの回路部Ｐ１が設けられている縁部から該回路基板Ｐを駒部材４に押入する。すると、回路基板Ｐの縁部に、駒部材４の上下の弾性腕体４Ａに設けられた突部４Ｃが当接し、該上下の弾性腕体４Ａは弾性変形して拡げられ、さらなる押入により、突部４Ｃは回路基板の係止孔部Ｐ２にスナップ状に係止する（第２図（Ｂ）参照）。かくして、回路基板Ｐと駒部材４とは一体的に結合される。その際、上記係止によって回路基板は幅方向に自動的に位置出しされるようになる。・・・上記回路基板Ｐをさらに押入すると、これと結合している駒部材４は絶縁ハウジング２の内方に向けストッパ（図示せず）に当接するまで所定距離だけ移動する。この移動中は、上記駒部材４はその案内溝４Ｅが接触子３の水平部３Ｂと接触しており、接触子は依然として回路部の面とは被接触状態にある。そして、上記所定距離だけ移動完了すると、その時点で上記水平部３Ｂは係止部たる案内溝４Ｅから外れて、接触子は回路部Ｐ１に対して直角方向から弾圧接触するようになる（第２図（Ｃ）参照）。・・・最後に、回路部Ｐ１に接触するようになった接触子３の回路部Ｐ１との接触部のクリーム半田を加熱して半田結線がなされる。」（５欄２２行〜６欄１０行）
　
（１４）刊行物１４（特開平６−６０９５１号公報）には、以下の事項が図面とともに記載されている。
　「この発明はソケットに関し、特に、集積回路チップを収容するバーンインあるいはテスト用ソケットに関するものである。」（段落【０００１】）、
　「各接点２８は、最上部のヘッド３８に終端する曲がった首部３６と、下方に延びた支持台４０も具備する。ヘッド３８は、テーブル２４より上方へと延び、チップ１２の対応するリード１６と接触して両者間の電気的接続を与え、かつそれを維持する。」（段落【００１３】）、
　「ラッチバー５０が、テーブル２４の各端にシフト可能に接続されている。各ラッチバー５０は、細長く曲がったラッチ５２と、そこから一体状に垂下したカムアクチュエータ５４とを含んでいる。カムアクチュエータ５４は、突起５６によって一端でベース１８に固定されており、ロッド４６は、別のアクチュエータをも貫いて延びている。各ラッチバー５０は、図面で示されているように、ラッチ位置と非ラッチ位置の間で回転可能である。」（段落【００１５】）
　
４．対比・判断
４−１．特許法第２９条第２項違反について
（１）本件発明１について
　本件発明１と、特許異議申立人遠藤寛次、特許異議申立人田島亮及び特許異議申立人池野耕司が提出した刊行物１から刊行物１４までに記載された発明とを対比すると、刊行物１から刊行物１４までに記載された発明は、いずれも本件発明１を特定する事項である、「各アーム状接点部の先端近傍の部位を互いに近づける方向に「く」の字状に折り曲げることによりくびれた形状の係合突部が設けられている複数の接触子」及び「上記カバー部材が押圧されず上記ソケット本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の事項（以下、「事項Ａ」という）を備えておらず、この点が容易になし得たものであるということはできない。
　すなわち、刊行物１には、第１０図に関する例としてコンタクト６０（「接触子」に相当する）が記載されており、このコンタクト６０は、一対のアーム６０ａ、６０ｂ（「一対のアーム状接点部」に相当する）に互いに近づける方向に「く」の字状のくびれた部分（「係合突部」に相当する）を有しており、このくびれた部分と格子部４ｂ（「係合部」に相当する）との当接解除によりアーム６０ａ、６０ｂを開閉するものである。しかしながら、前記くびれた部分はアームの中央部分に設けられており、しかも格子部４ｂはカバー３（「カバー部材」に相当する）と一体的に上下するものであるから、カバー３が上方の位置にあるとき、格子部４ｂはくびれた部分に対して上方で離間した位置にあって、アーム６０ａ、６０ｂは閉状態であり、カバー３が中央の位置にあるとき、格子部４ｂはくびれた部分と当接する位置にあって、アーム６０ａ、６０ｂは開状態であり、カバー３をさらに下方へ押し下げるとき、格子部４ｂはくびれた部分に対して下方で離間した位置となり、アーム６０ａ、６０ｂの弾性力によりＢＧＡパッケージ５（「電子部品」に相当する）の半田ボール５ｂ（「接続端子」に相当する）を双方向から挟んで加圧接触する３つの位置をとる形式のものであるから、本件発明１の、アーム状接点部の先端近傍に係合突部を有し、カバー部材が上方と下方（このとき係合部は係合突部に対して下方で離間した第１の位置と当接する第２の位置をとる）の２つの位置をとる形式のものとは基本的構成が異なる。そうすると、刊行物１には本件発明１の上記事項Ａは示されていない。
　刊行物２には、ノーマルクローズ型コネクタにおけるコンタクト及びカムの組合せ並びにカムを駆動するスライダが記載されているが、電子部品を位置決め載置する機構が記載されておらず、スライダの移動方向も横方向に移動するものであって、上下動するカバー部材との連係を示唆するものでもない。したがって、刊行物２には、上記事項Ａが記載されていない。
　刊行物３には、スライドプレートが下方向へ移動したとき、スライドプレートのカム部によりコンタクトピンの挟持片を対称的に開くものが記載されているが、スライドプレートを直接上下移動させるものであって、カバー部材の上下移動と逆向きに連動させる形式のものではなく、カバー部材の上下動に伴って各部材を連係させる具体的構成を示唆するものではない。したがって、刊行物３には、上記事項Ａが記載されていない。
　刊行物４には、カバー絶縁体に端子ピンの径ないし厚みと等しい厚みを有するプリロード板を設けたものが記載されているが、端子ピンの先端がプリロード板の端面に位置することにより、いわゆるアーム状接点部であるバネ片が何ら変位することなく間隔を一定に保持しながらプリロード板から端子ピンの方向へ摺動するものであって、本件発明とは明らかに異なる。したがって、刊行物４には、上記事項Ａが記載されていない。
　刊行物５には、ラック３２の横方向への移動によって接点２０のチップ２６および２８を開くものが記載されているが、本件発明１のごとく「く」の字状のくびれた係合突部と上下動する接点開平部材の係合部とによるものとは、接点部を開閉するための具体的構成が異なる。したがって、刊行物５には、上記事項Ａが記載されていない。
　刊行物６に記載のものは、弾性接片３ａ、３ｂのうち、一方の弾性接片３ａをたわませる形式のものであって、本件明細書でいうところの従来の技術の域を出ないものである。したがって、刊行物６には、上記事項Ａが記載されていない。
　刊行物７には、回動ラッチレバーが記載されているものの、移動板５の横動によりコンタクト４を開状態にする形式のものであるから、本件明細書でいうところの従来の技術の域を出ないものである。したがって、刊行物７には、上記事項Ａが記載されていない。
　刊行物８には、ラッチが記載されているものの、スライダの移動により一方のアーム３０ａを移動させて開く形式のものであるから、本件明細書でいうところの従来の技術の域を出ないものである。したがって、刊行物８には、上記事項Ａが記載されていない。
　刊行物９には、スライドバーによりスライド部材を上下動させるようにする点が記載されているものの、コンタクトピン１３は単一の接点部１３ｅしか有さず、一対のアーム状接点部を開閉する形式の本件発明１とは明らかに異なる。したがって、刊行物９には、上記事項Ａが記載されていない。
　刊行物１０には、コンタクトピン１７上端部が二股状になっており、可動板１５の下降により二股部が対称的に開くものが記載されているが、本件発明１のごとく「く」の字状のくびれた係合突部と上下動する接点開平部材の係合部とによるものとは相違しており、カバー部材の上下動に伴って各部材を連係させる具体的構成を示唆するものではない。したがって、刊行物１０には、上記事項Ａが記載されていない。
　刊行物１１には、ラッチ１３が記載されているものの、スライダ４のＸ−方向のスライドによってスライダ４の係合溝４ｂと一方のアーム６ａの突起６ｅとの係合によってコンタクト６のアーム６ａ、６ｂ同士が離間する形式のものであるから、本件明細書でいうところの従来の技術の域を出ないものである。したがって、刊行物１１には、上記事項Ａが記載されていない。
　刊行物１２には、コンタクト１８の接触部１８ａがＩＣリードと接触する形式のものが記載されており、一対のアーム状接点部を開閉する形式の本件発明１とは明らかに異なる。したがって、刊行物１２には、上記事項Ａが記載されていない。
　刊行物１３記載のものは、駒部材を用いてコネクタと回路基板が正規の装着位置になるまで、接触子を回路基板の回路部に接触しないようにするものであって、装着後、回路部と接触子は加熱して半田結線がなされるものであるから、一対のアーム状接点部を開閉して着脱自在に装着する本件発明１とは明らかに異なる。したがって、刊行物１３には、上記事項Ａが記載されていない。
　刊行物１４には、ラッチが記載されているものの、各接点２８の最上部のヘッド３８が対応するリードと接触して電気的接続を与える形式のものであって、一対のアーム状接点部を開閉する形式の本件発明１とは明らかに異なる。したがって、刊行物１４には、上記事項Ａが記載されていない。
　
　そして、本件発明１は、明細書記載の格別の作用、効果を奏するものである。
　したがって、本件発明１は、刊行物１から刊行物１４までに記載された発明に基づいて当業者が容易に発明をすることができたものであるいうことはできず、本件発明１についての特許が特許法第２９条第２項の規定に違反してされたものであるとすることはできない。
　
（２）本件発明２について
　本件発明２は、独立形式で表現されているものの、本件発明１の特定事項に加えて「上記一対のアーム状接点部は、上記接触子の長手方向に対してほぼ線対称な形状に形成され」る事項を備えたものに他ならないから、本件発明２は、上記「（１）本件発明１について」で述べたのと同じ理由により、刊行物１から刊行物１４までに記載された発明に基づいて当業者が容易に発明をすることができたものであるということはできず、本件発明２についての特許が特許法第２９条第２項の規定に違反してされたものであるとすることはできない。
　
（３）本件発明３ないし５について
　本件発明３ないし５は、本件発明１又は２を、もしくは本件発明１又は２を引用した他の発明を、引用してさらに限定したものであるから、上記「（１）本件発明１について」又は「（２）本件発明２について」で述べたのと同じ理由により、刊行物１から刊行物１４までに記載された発明に基づいて当業者が容易に発明をすることができたものであるということはできず、本件発明３ないし５についての特許が特許法第２９条第２項の規定に違反してされたものであるとすることはできない。
　
（４）本件発明６について
　本件発明６と、刊行物１から刊行物１４までに記載された発明とを対比する。
　本件発明６は、発明を特定する事項として「各アーム状接点部の先端近傍の部位を互いに近づける方向に「く」の字状に折り曲げることによりくびれた形状の係合突部が設けられている複数の接触子」及び「上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の事項（以下、「事項Ｂ」という）を備えており、事項Ｂは、上記事項Ａと実質的に同じである。したがって、上記「（１）本件発明１について」で検討したとおり、刊行物１から刊行物１４までに記載された発明は、いずれも本件発明６を特定する事項Ｂを備えておらず、この点が容易になし得たものであるということはできない。
　そして、本件発明６は、明細書記載の格別の作用、効果を奏するものである。
　したがって、本件発明６は、刊行物１から刊行物１４までに記載された発明に基づいて当業者が容易に発明をすることができたものであるいうことはできず、本件発明６についての特許が特許法第２９条第２項の規定に違反してされたものであるとすることはできない。
　
（５）本件発明７及び８について
　本件発明７及び８は、本件発明６、又は本件発明６を引用した本件発明７、を引用してさらに限定したものであるから、上記「（４）本件発明６について」で述べたのと同じ理由により、刊行物１から刊行物１４までに記載された発明に基づいて当業者が容易に発明をすることができたものであるということはできず、本件発明７及び８についての特許が特許法第２９条第２項の規定に違反してされたものであるとすることはできない。
　
（６）本件発明９について
　本件発明９と、刊行物１から刊行物１４までに記載された発明とを対比する。
　本件発明９は、発明を特定する事項として「各アーム状接点部の先端近傍の部位を互いに近づける方向に「く」の字状に折り曲げることによりくびれた形状の係合突部が設けられている複数の接触子」及び「上記カバー部材が押圧されず上記本体に対して上方の位置にあるときは、上記係合部が上記一対のアーム状接点部の係合突部に対して下方で離間した第１の位置にあって、上記一対のアーム状接点部が閉状態である一方で、上記カバー部材が下方へ押し下げられた状態では、上記係合部が上記一対のアーム状接点部の係合突部と当接する第２の位置にあって、上記一対のアーム状接点部が開状態で、かつ、上記ラッチ部材が上記一対のアーム状接点部の近傍から退避して、上記電子部品を上記ソケット本体に固定された上記アダプタ部材に位置決め載置可能であり、さらに、上記カバー部材が下方へ押し下げられた状態から当該カバー部材の押圧を解除することにより、上記ラッチ部材によって上記電子部品を所定位置に押さえるとともに、上記開状態にある一対のアーム状接点部の弾性力によって上記電子部品の各接続端子を双方向から挟んで加圧接触するように構成されている」点の事項（以下、「事項Ｃ」という）を備えており、事項Ｃは、上記事項Ａと実質的に同じである。したがって、上記「（１）本件発明１について」で検討したとおり、刊行物１から刊行物１４までに記載された発明は、いずれも本件発明９を特定する事項Ｃを備えておらず、この点が容易になし得たものであるということはできない。
　そして、本件発明９は、明細書記載の格別の作用、効果を奏するものである。
　したがって、本件発明９は、刊行物１から刊行物１４までに記載された発明に基づいて当業者が容易に発明をすることができたものであるいうことはできず、本件発明９についての特許が特許法第２９条第２項の規定に違反してされたものであるとすることはできない。
　
（７）本件発明１０について
　本件発明１０は、本件発明９を引用してさらに限定したものであるから、上記「（６）本件発明９について」で述べたのと同じ理由により、刊行物１から刊行物１４までに記載された発明に基づいて当業者が容易に発明をすることができたものであるということはできず、本件発明１０についての特許が特許法第２９条第２項の規定に違反してされたものであるとすることはできない。
　
４−２．特許法第２９条第１項第３号違反について
　特許異議申立人田島亮は、本件発明は、刊行物１、１０、１１、８、７に記載された発明と同一である旨主張している。
　そこで、本件発明１ないし１０と、刊行物１、１０、１１、８、７に記載された発明とを対比すると、上記「４−１．特許法第２９条第２項違反について」で検討したとおり、刊行物１、１０、１１、８、７に記載された発明は、いずれも、本件発明１ないし５の特定事項である事項Ａ、本件発明６ないし８の特定事項である事項Ｂ、本件発明９および１０の特定事項である事項Ｃを備えておらず、これらの事項が慣用手段であるとも技術常識であるともいうことはできない。
　したがって、本件発明１ないし１０は、刊行物１、１０、１１、８、７に記載された発明のいずれとも同一であるということはできず、本件発明１ないし１０についての特許が特許法第２９条第１項第３号の規定に違反してされたものであるとすることはできない。
　
５．むすび
　以上のとおりであるから、特許異議の申立ての理由及び証拠によっては、本件発明１ないし１０についての特許を取り消すことはできない。
　また、他に本件発明１ないし１０についての特許を取り消すべき理由を発見しない。
　よって、結論のとおり決定する。　
【異議決定日】
平成１６年３月２６日（２００４．３．２６）